(57)【要約】      （修正有）【課題】ベースとなる基本デザインを元に、芯組み規則を加味した上で、戸パネルの芯組み情報及び生産情報を生成できるようにする。【解決手段】ベースとなる戸パネルの基本デザイン種別と、縦横寸法及び厚み寸法に関する寸法情報を含むオーダー情報とが入力される入力部１３と、戸パネルの基本デザインに関する芯組み元情報、戸パネルの構成部材データ１２ｂ及び戸パネルの芯組み規則データ１２ｃが格納されている記憶部１２と、戸パネルの基本デザイン種別を元に、三次元マスタデータより対応した芯組み元情報と、芯組み規則データと、寸法情報とを元に芯組み情報を生成し、構成部材データ１２ｂ及びオーダー情報に基づき、戸パネルの基本デザインの三次元マスタデータを用いて、構成部材の三次元データを含む生産情報を生成するパネルデータ生成部１１と、生成した芯組み情報および生産情報生成部で生成した生産情報が出力される出力部１４とを備える。【選択図】図１
2018055687.tif 000002
【特許請求の範囲】
【請求項１】
コンピュータを用いて戸パネルの少なくとも芯組み情報および構成部材の生産情報を生成するパネル設計システムであって、
戸パネルの芯組み設計のベースとなる戸パネルの基本デザイン種別と、少なくとも縦横寸法および厚み寸法に関する寸法情報を含むオーダー情報とが入力される入力部と、
前記戸パネルの基本デザインに関する三次元マスタデータによる芯組み元情報、戸パネルの構成部材データおよび戸パネルの芯組み規則データが格納されている記憶部と、
前記オーダー情報として入力された戸パネルの基本デザイン種別をもとに、前記三次元マスタデータより対応した芯組み元情報を読み込み、読み込んだ芯組み元情報と、芯組み規則データと、前記オーダー情報として入力された前記寸法情報とをもとに前記芯組み情報を生成し、
前記構成部材データおよび入力された前記オーダー情報にもとづき、前記戸パネルの基本デザインの三次元マスタデータを用いて、前記構成部材の三次元データを含む前記生産情報を生成するパネルデータ生成部と、
前記パネルデータ生成部で生成した前記芯組み情報および前記生産情報が出力される出力部とを備えたことを特徴とするパネル設計システム。
【請求項２】
請求項１において、
前記構成部材の生産情報には、戸パネルの厚み方向の情報が含まれていることを特徴とするパネル設計システム。
【請求項３】
請求項１または２において、
前記芯組み情報および前記生産情報を生産部門端末にさらに出力することを特徴とするパネル設計システム。
【請求項４】
請求項１〜３のいずれか１項において、
前記記憶部には、前記戸パネルを生産する際に必要とされる検査項目データがさらに記憶されており、
前記パネルデータ生成部は、前記記憶部より検査項目データを読み込んで前記生産情報に含めることを特徴とするパネル設計システム。
【請求項５】
請求項１〜４のいずれかのパネル設計システムで生成された前記芯組み情報および前記生産情報を用いた戸パネルの生産方法。
【請求項６】
戸パネルの少なくとも芯組み情報および構成部材の生産情報を生成するパネル設計プログラムであって、
前記戸パネルの基本デザインに関する三次元マスタデータによる芯組み元情報、戸パネルの構成部材データおよび戸パネルの芯組み規則データが格納されている記憶部よりデータを読み込んで処理する手順とされており、
戸パネルの芯組み設計のベースとなる戸パネルの基本デザイン種別と、少なくとも縦横寸法および厚み寸法に関する寸法情報を含むオーダー情報とを入力し、
前記オーダー情報として入力された戸パネルの基本デザイン種別をもとに、前記三次元マスタデータより対応した芯組み元情報を読み込み、読み込んだ芯組み元情報と、前記芯組み規則データと、前記オーダー情報として入力された前記寸法情報とをもとに前記芯組み情報を生成し、
前記構成部材データおよび入力された前記オーダー情報にもとづき、前記戸パネルの基本デザインの三次元マスタデータを用いて、前記構成部材の三次元データを含む前記生産情報を生成することを特徴とするパネル設計システム。
【請求項７】
請求項６に記載されたパネル設計プログラムを記録したコンピュータ読み取りが可能な記録媒体。
【発明の詳細な説明】
【技術分野】
【０００１】
本発明は、コンピュータを用いて戸パネルの少なくとも芯組み情報および構成部材の生産情報を生成するパネル設計システム、戸パネルの生産方法、パネル設計プログラムおよびそのプログラムを記録した記録媒体に関する。
【背景技術】
【０００２】
近時、戸パネルの芯組み情報を、コンピュータ・システムにて生成することが種々提案されている（たとえば、特許文献１参照）。特許文献１のシステムは、戸パネルのデザインを決めてから、そのデザインをもとにラフな芯組み情報を決定し、そのラフに設計された芯組み情報から、種々の規則を加味したうえで、芯材を増減できるようにしたパネル設計システムである。したがって、このシステムによれば、種々の規則データさえ登録されていれば、顧客の多様な要望にも対応することができ、芯組み設計者によらない自動的な設計も実施することが可能となる。
【先行技術文献】
【特許文献】
【０００３】
【特許文献１】特許第４８５５８２８号公報
【発明の概要】
【発明が解決しようとする課題】
【０００４】
しかしながら、顧客の戸パネルに対する要望は、既存の基本デザインモデルにもとづく改変の要望がほとんどであるため、上記文献のような特注にも対応できるような汎用性のあるシステムはむしろ使用しにくい。また、規則データについても、種々のパターンに対応して準備しなければならず、システムの構築に時間を要するおそれがある。
【０００５】
本発明は、このような事情を考慮して提案されたもので、その目的は、ベースとなる基本デザインをもとに、芯組み規則を加味したうえで、戸パネルの芯組み情報および生産情報を生成できるパネル設計システムム、戸パネルの生産方法、パネル設計プログラムおよび記録媒体を提供することにある。さらに、三次元マスタモデルをもとにすることで三次元データを含む生産情報を生成できるようにすることも目的とされる。
【課題を解決するための手段】
【０００６】
上記目的を達成するために、本発明のパネル設計システムは、コンピュータを用いて戸パネルの少なくとも芯組み情報および構成部材の生産情報を生成するパネル設計システムであって、戸パネルの芯組み設計のベースとなる戸パネルの基本デザイン種別と、少なくとも縦横寸法および厚み寸法に関する寸法情報を含むオーダー情報とが入力される入力部と、前記戸パネルの基本デザインに関する三次元マスタデータによる芯組み元情報、戸パネルの構成部材データおよび戸パネルの芯組み規則データが格納されている記憶部と、オーダー情報として入力された戸パネルの基本デザイン種別をもとに、前記三次元マスタデータより対応した芯組み元情報を読み込み、読み込んだ芯組み元情報と、芯組み規則データと、前記オーダー情報として入力された前記寸法情報とをもとに前記芯組み情報を生成し、前記構成部材データおよび入力された前記オーダー情報にもとづき、前記戸パネルの基本デザインの三次元マスタデータを用いて、前記構成部材の三次元データを含む前記生産情報を生成するパネルデータ生成部と、前記パネルデータ生成部で生成した前記芯組み情報および前記生産情報生成部で生成した前記生産情報を出力する出力部とを備えたことを特徴とする。
【０００７】
本発明のパネル設計方法は、前記のパネル設計システムを用いた戸パネルの生産方法である。
【０００８】
また、本発明のパネル設計プログラムは、戸パネルの少なくとも芯組み情報および構成部材の生産情報を生成するパネル設計プログラムであって、前記戸パネルの基本デザインに関する三次元マスタデータによる芯組み元情報、戸パネルの構成部材データおよび戸パネルの芯組み規則データが格納されている記憶部よりデータを読み込んで処理する手順とされており、戸パネルの芯組み設計のベースとなる戸パネルの基本デザイン種別と、少なくとも縦横寸法および厚み寸法に関する寸法情報を含むオーダー情報とを入力し、前記オーダー情報として入力された戸パネルの基本デザイン種別をもとに、前記三次元マスタデータより対応した芯組み元情報を読み込み、読み込んだ芯組み元情報と、前記芯組み規則データと、前記オーダー情報として入力された前記寸法情報とをもとに前記芯組み情報を生成し、前記構成部材データおよび入力された前記オーダー情報にもとづき、前記戸パネルの基本デザインの三次元マスタデータを用いて、前記構成部材の三次元データを含む前記生産情報を生成ことを特徴とする。
【０００９】
また、本発明の記録媒体は、前記パネル設計プログラムを記録したコンピュータ読み取りが可能なものとされる。
【発明の効果】
【００１０】
本発明のパネル設計システムによれば、上述した構成となっているため、ベースとなる基本デザインをもとに、芯組み規則を加味したうえで、戸パネルの芯組み情報および生産情報を生成することができる。また、三次元マスタモデルを用いているため、厚み方向に関するデータを生成することもできる。
【００１１】
また、本発明の戸パネルの生産方法によれば、上述した手順となっているので、生産部門への効率的で迅速な生産指示を行うことができる。
【００１２】
また、本発明のパネル設計プログラムによれば、上述した手順となっているため、ベースとなる基本デザインをもとに、芯組み規則を加味したうえで、戸パネルの芯組み情報および生産情報を生成することができる。また、三次元マスタモデルを用いているため、厚み方向に関するデータを生成することもできる。
【図面の簡単な説明】
【００１３】
【図１】本発明の一実施形態に係るパネル設計システムのシステム構成図である。
【図２】本パネル設計システムの基本概略フローチャートである。
【図３】本パネル設計システムにおける芯組み情報生成処理のフローチャートである。
【図４】芯組み情報生成処理における略等分化処理のフローチャートである。
【図５】本パネル設計システムにおける生産情報生成処理のフローチャートである。
【図６】（ａ）〜（ｃ）は、戸パネルの芯組みの複数例を示す正面図である。
【図７】（ａ）（ｂ）は、戸パネルの芯組みの他の複数例を示す正面図である。
【図８】生成された芯組み情報にもとづく芯組み指示書の例図である。
【図９】生成された生産情報を含む生産指示書の例図である。
【発明を実施するための形態】
【００１４】
以下に、本発明の実施の形態について、添付図面を参照しながら説明する。本明細書に記載のパネル設計システムの例は、図１に示すように、複数の端末や機器がインターネットなどのネットワーク２０を通じてデータを送受できる環境のもとに構築されたシステムである。まず、本パネル設計システムの基本構成について説明する。
【００１５】
本パネル設計システムは、コンピュータ（サーバ１０、パソコン２１など、ＣＰＵを有しプログラムが実行される機器）を用いて戸パネルの少なくとも芯組み情報を生成するシステムである。もちろん、コンピュータが、役割ごとに分担させた複数の機器で構成されたものであってもよい。この場合、個々の機器は、役割を担うことができるように、その役割に応じたプログラムを有すればよい。
【００１６】
このパネル設計システム（以下、たんにシステムという）は、戸パネルの芯組み設計のベースとなる戸パネルの基本デザイン種別と、少なくとも縦横寸法および厚み寸法に関する寸法情報を含むオーダー情報とが入力される入力部を備えている。
【００１７】
このシステムは、戸パネルの基本デザインに関する三次元マスタデータによる芯組み元情報、戸パネルの構成部材データおよび戸パネルの芯組み規則データが格納されている記憶部を備えている。
【００１８】
さらに、このシステムは、つぎの手順を実行するパネルデータ生成部を備えている。すなわち、パネルデータ生成部は、オーダー情報として入力された戸パネルの基本デザイン種別をもとに、三次元マスタデータより対応した芯組み元情報を読み込み、その芯組み元情報と、芯組み規則データと、入力された寸法情報とをもとに芯組み情報を生成する。そして、パネルデータ生成部は、構成部材データおよび入力されたオーダー情報にもとづき、戸パネルの基本デザインの三次元マスタデータを用いて、構成部材の三次元データを含む生産情報を生成する。
【００１９】
また、このシステムは、パネルデータ生成部で生成した芯組み情報および生産情報を出力する出力部を備えている。
【００２０】
ようするに、本システムは、基礎となる芯組み元情報を用いて、所定の芯組み規則データにのっとって芯組み情報および生産情報を生成すること、および、生成するデータがもととなるデータとともに三次元データであることを特徴としたものである。
【００２１】
ここで、芯組み規則としては芯組み設計する際の種々の規則が含まれており、たとえば以下に示した実施形態の例のように、横桟を取付領域内でほぼ均等な間隔で設置するための規則などが挙げられる。
【００２２】
本システムは以上のように構成されており、サーバ１０で実行されるパネル設計プログラムは、戸パネルの少なくとも芯組み情報および構成部材の生産情報を生成するプログラムである。また、このプログラムは、戸パネルの基本デザインに関する三次元マスタデータ（基本デザイン３Ｄマスタデータ１２ａ）による芯組み元情報、戸パネルの構成部材データ１２ｂおよび戸パネルの芯組み規則データ１２ｃが格納されている記憶部１２よりデータを読み込んで処理するつぎに示す手順とされている。
まず、入力部１３より、戸パネルの芯組み設計のベースとなる戸パネルの基本デザイン種別と、少なくとも縦横寸法および厚み寸法に関する寸法情報を含むオーダー情報とを入力する。
ついで、オーダー情報として入力された戸パネルの基本デザイン種別をもとに、基本デザイン３Ｄマスタデータ１２ａより対応した芯組み元情報を読み込み、読み込んだ芯組み元情報と、芯組み規則データ１２ｃと、オーダー情報として入力された寸法情報とをもとに芯組み情報を生成する。
そして、構成部材デー１２ｂタおよび入力されたオーダー情報にもとづき、戸パネルの基本デザイン３Ｄマスタデータ１２ａを用いて、構成部材の三次元データを含む生産情報を生成する。
【００２３】
以下の実施形態では、上記横桟の設置に関するオーダー情報として、特定部材の取付位置を基準として定められる基準横桟の有無および基準横桟ありの場合の基準横桟高さ位置情報が入力されるようにしてもよい。特定部材とは、その部材を取り付ければ、その部材の取付位置で横桟の設置位置に影響を与え得る部材のことである。つまり、特定部材と基準横桟とは相互依存の関係にあり、それらの取付位置も依存関係にある。たとえば、ハンドルが組み込まれるケースラッチ３３を取り付ける（嵌め込む）ための取付下地の一部や、引き手を形成するための引き手部材の一部を横桟で兼ねるような場合、その横桟は基準横桟とされる。
【００２４】
また、オーダー情報にはさらに、開設加工部の有無および開設加工部ありの場合の開設加工部の高さ位置範囲情報が含まれる。開設加工部は、その高さ範囲に横桟が設置され得ないような開口部位であり、たとえば図６（ｃ）に示した戸パネルに形成される採光部３８や、ペットくぐり戸、ガラリなどが含まれる。また、本実施形態では、オーダー情報に、戸パネルのハンドル用のケースラッチ３３（図６（ａ）参照）やその他取付部材の取り付けのための取付下地の有無、および、取付下地ありの場合の取付下地の設置位置情報がさらに含まれている。
【００２５】
図６（ａ）に示すように、基準横桟３１としては、たとえばケースラッチ３３のように、その部材を取り付けるための取付下地になり得る横桟３２が含まれる。つまり、部材の取り付けによって、高さ位置が律せられるような横桟３２がある場合に、その横桟３２が基準横桟３１となり得、その場合に基準横桟ありが入力されるようにすればよい。後述する基本デザイン種別が入力された場合には、そのデザインにより基準横桟の有無や取付下地の有無が決定される。なお、取付下地となり得る横桟の有無に関係なく、基準横桟ありが入力されてもよい。
【００２６】
本実施形態のシステムは、戸パネルの構成部品の寸法データを部品ごとに関連付けて保存した記憶部１２をさらに備えた構成とされている。オーダー情報として入力された戸パネルの寸法情報は、戸パネルの種類を特定するための特定情報を有している。つまり、この特定情報は新たにパネル設計するためのベースとなる基本デザイン種別（たとえば品番など）である。そして、パネルデータ生成部１１は、この特定情報を用いて、記憶部１２より、特定した戸パネルの基本デザインデータと、構成部材の寸法データとを取得し、それらにもとづいて横桟の取付領域を特定する構成となっている。
【００２７】
また、本システムは上述したように、芯組み情報のみならず、構成部材の生産情報も生成する構成となっている。すなわち、パネルデータ生成部１１は、記憶部１２より、特定された戸パネルの構成部材に関する情報を用いて生産情報を生成し、芯組み情報と組み合わせて出力部１４に出力する構成となっている。
【００２８】
ついで、本実施形態に係るシステムの詳細について、図１〜図９を参照しながら説明する。
【００２９】
サーバ１０は戸パネル製造会社の設計部門などで動作するコンピュータである。サーバ１０の本システムにおける動作主体であるパネルデータ生成部１１は、ＣＰＵおよび各種プログラムによって動作する一連のコンピュータ処理（図２参照）を実行する構成部である。
【００３０】
サーバ１０には磁気ディスクなどによる記憶部１２が接続されている。この記憶部１２には、基本デザイン３Ｄマスタデータ１２ａ、構成部材の寸法データが含まれる構成部材データ１２ｂ、芯組み規則データ１２ｃ、検査項目データ１２ｄが保存されている。検査項目データ１２ｄは基本デザイン種別ごとに区分されている。また、芯組み規則データ１２ｃは本実施形態では、後述するように寸法との関係において設けられたものであるが、基本デザイン種別ごとに対応したものが含まれていてもよい。
【００３１】
基本デザイン３Ｄマスタデータ１２ａは、戸パネルの種々の基本デザインに関する三次元モデルに関するデータの集合である。本システムの設計対象である戸パネルの芯組み情報の元データとするための芯組み元情報が、複数の基本デザインについて記憶されている。マスタモデルの戸パネルのデザインとしては、複数のものが、たとえば開き戸や引戸などの戸の種類ごとに区分されている。なお、タッカーの位置や向きについても、基本デザイン３Ｄマスタデータ１２ａに含まれている。
【００３２】
構成部材データ１２ｂは、縦枠４１や横枠４２、縦桟４３、横桟３２、面材、蝶番、ケースラッチ３３など、各種の戸パネルを構成する部材の種類、寸法に関するデータである。寸法データとしては、縦横寸法および厚み寸法が含まれる。
【００３３】
芯組み規則データ１２ｃは、芯組みするための規則を数値等で定めたデータであり、本システムでは、横桟間隔許容値域データおよび横桟本数許容テーブルが保存されている。横桟間隔許容値域データは、横桟間隔の許容範囲を定めた範囲データであり、たとえば２００〜４９９ｍｍなどのように定数の範囲が記憶されている。また横桟本数許容テーブルは、横桟を設置する対象領域の高さ寸法に対応した適正な横桟本数をテーブル化したものであり、たとえば、２０００ｍｍ未満の場合３本、２０００ｍｍ以上の場合４本、などと定義されている。上述したように、芯組み規則データ１２ｃとして、基本デザイン種別ごとに有してもよい。
【００３４】
芯組み規則データ１２ｃとしては、横桟３２の設置に関する他の規則であってもよい。もちろん、横桟３２に関する規則だけではなく、縦枠４１や横枠４２、縦桟４３など芯材に関する規則を芯組み規則データ１２ｃとして定めてもよい。また、厚み方向に関する規則を芯組み規則データ１２ｃに含ませるように定めてもよい。
【００３５】
検査項目データ１２ｄは、生産指示書６０（図９参照）に含ませる付属情報であり、本実施形態では検査項目データは基本デザイン種別ごとに特有のものとされ、基本デザイン種別をキーとしてアクセスできるように保存されている。本システムでは、この付属情報は生産情報として含まれるようになっているが、これには限られない。
【００３６】
また、サーバ１０には、生成した芯組み情報および生成した生産情報を出力する（保存する）磁気ディスクなどよりなる出力部１４が接続されている。出力部１４は、その他プリンター、表示装置、他のパソコン２１などであってもよい。
【００３７】
ネットワーク２０を介してサーバ１０にアクセス可能としたパソコン２１は、芯組み情報生成および生産情報生成の両処理を実行指示し、その際に必要とされるオーダー情報を入力する入力部１３である。また、パソコン２１の画面にはサーバ１０で生成された各種のデータの表示出力もなされる。つまり、パソコン２１は上記磁気ディスクによる出力部１４とともに、他の出力部１４を構成する装置である。このような入力部１３および出力部１４を構成するパソコンは、図１に示すようにネットワーク２０を介して複数接続されていてもよく、たとえば一般顧客がサーバ１０に対して実行指示できるようにしてもよい。
【００３８】
また、サーバ１０にはネットワーク２０を介して、生産部門端末２２が接続されている。生産部門端末２２に限らず、種々の他部門端末が接続されていてもよい。この生産部門端末２２には、サーバ１０で生成された芯組み情報および生産情報が送出されるようになっている。
【００３９】
ついで、本実施形態に係るシステムの詳細な流れについて説明する。本システムは、オーダー情報をともなった所定の操作指示が入力部１３よりあったときに、芯組み情報を生成する芯組み情報生成、および、戸パネルの構成部材の三次元データを生成する生産情報生成の両処理をパネルデータ生成部１１が実行する。
【００４０】
サーバ１０（パネルデータ生成部１１）は、上記実行指示を受けつけたときに、パソコン２１から入力されたオーダー情報を取得する。本実施形態のオーダー情報としては、戸パネルの寸法情報、特定部材の取付位置を基準として定められる基準横桟の有無および基準横桟ありの場合の基準横桟高さ位置情報が含まれる。
【００４１】
戸パネルの寸法情報としては、設計の元となる戸パネルの基本デザイン種別（戸パネルのデザイン種類を特定するための特定情報）と、戸パネルの縦横寸法および厚み寸法とが入力されるようにすればよい。この寸法情報は、指定された基本デザインをもとに、芯材をどのような寸法にするかを決定するための情報である。
【００４２】
特定部材の取付位置を基準として定められる基準横桟の有無については、オーダー情報として入力される基本デザイン種別を代用することができる。つまり、基本デザインが決まっている場合は、ケースラッチ３３（図６（ａ）参照）などの取付下地となる基準横桟３１（図６（ａ）参照）の有無が芯組み元情報により判別できるため、芯組み元情報に基準横桟３１が含まれていれば特定部材あり、含まれていなければ特定部材なしと判断することができる。
【００４３】
基準横桟ありの場合の基準横桟高さ位置情報については、オーダー情報として直接入力されたデータが採用されるか、またはオーダー情報として入力される戸パネルの寸法を芯組み元情報に適用させて基準横桟高さ位置を算出したものが採用されればよい。
【００４４】
図２〜図５は、本システムのパネルデータ生成部１１の基本動作を示したフローチャートである。なお、本システムは、シミュレーションでの芯組み情報の生成処理を実行することも可能とされている。その場合には、オーダー情報として、戸パネルの寸法データ（実際の寸法）、特定部材の取付位置を基準として定められる基準横桟の有無および基準横桟ありの場合の基準横桟高さ位置情報が含まれていればよく、芯組み元情報を取り出すための基本デザイン種別の入力はなくてもよい。
【００４５】
オーダー情報として基本デザイン種別が入力された場合には、それにもとづいて、図６（ａ）〜（ｃ）や図７（ａ）（ｂ）などのベースとなる基本デザインの芯組み元情報が決定される。この芯組み元情報と、オーダー情報として入力される戸パネルの寸法データとにより、所望の芯組み情報が生成されることとなる。
【００４６】
一方、ベースとなる基本デザイン種別の入力がない場合のシミュレーションによる芯組み情報の生成も可能とされる。その場合には、オーダー情報として入力される戸パネルの寸法情報および特定部材の取付位置を基準として定められる基準横桟の有無および基準横桟ありの場合の基準横桟高さ位置情報により、横桟の設置高さ位置の確認を目的として芯組み情報が生成される。
【００４７】
図３のフローチャートにもとづいて説明する。なお、図３は基本デザインありの場合を前提としたフローチャートである。
【００４８】
パネルデータ生成部１１は、上記のようにオーダー情報を取得する（図２のＳ１０１）。つぎに、オーダー情報に含まれる戸パネルの基本デザイン種別に対応した芯組み元情報、構成部材データ１２ｂおよび検査項目データ１２ｃが記憶部１２より読み込まれ、さらに芯組み規則データ１２ｃが取得される（図２のＳ１０２）。
【００４９】
パネルデータ生成部１１は、これらの取得したデータおよびオーダー情報をもとに芯組み情報生成処理および生産情報生成処理を実行する（図２のＳ１０３、Ｓ１０４）。生成した芯組み情報および生産情報は出力部１４に出力される（図２のＳ１０５）。
【００５０】
芯組み情報は、図６および図７に示したように、縦枠４１、横枠４２、縦桟４３、横桟３２などの芯材、および、ケースラッチ３３などの取付部材の取り付けのための取付下地を戸形状に組み立てるために必要な寸法、位置情報である。芯組み情報により、図６および図７に例示したような寸法付きの芯組み正面図（これらの図では寸法不図示）の作成が可能とされる。
【００５１】
芯組み情報生成処理（図３参照）では、まず横桟の取付領域３０、３０ａ、３０ｂが特定される（図３のＳ２０１）。横桟の取付領域３０、３０ａ、３０ｂは基本デザイン種別で芯組み元情報が取得されている場合は、そのデザイン、寸法情報および基準横桟高さ位置情報にもとづいて特定される。なお、図７（ａ）に例示したように、上部の横枠４２（上枠）から所定の寸法下方に上部横桟３２を設ける場合は、その横枠４２から下方の領域内において横桟の取付領域３０、３０ａ、３０ｂが特定される。また、シミュレーションの場合の横桟の取付領域３０、３０ａ、３０ｂは、オーダー情報に含まれる基準横桟高さ位置情報および寸法情報にもとづいて特定される。
【００５２】
つぎに、基準横桟３１の有無が判別される（図３のＳ２０２）。基準横桟３１の有無は、上述したように、オーダー情報に含まれる基準横桟の有無によって判断される。
【００５３】
基準横桟なしと判断された場合（図３のＳ２０２のＮｏ）、高さ方向の領域が基準横桟３１により上下に区分されないため、高さ方向全体の取付領域３０を対象領域として、所定の規則にもとづく略等分化処理が実行される（図３のＳ２０３、２０４）。基準横桟ありの場合、基準横桟３１によって区分された取付領域３０ａ、３０ｂごとに、その領域を対象領域として略等分化処理が実行される（図３のＳ２０５〜Ｓ２０８）。なお、図３では上下２分割される場合を想定した処理を示したが、基準横桟３１は２以上であってもよく、その場合には、３以上の対象領域について略等分化処理が実行される。また、図７（ｂ）のような縦桟４３により左右に領域が分離される場合は、それぞれについて略等分化処理が実行されてもよい。なお、略等分化処理の具体的な処理内容については、図４において後述する。
【００５４】
こうして略等分化処理により横桟３２の高さ位置が決定され、それをもとに芯組み情報が生成される（図３のＳ２０９）。この芯組み情報は、上述したように芯材や取付下地を戸形状に組み立てるために必要な寸法、位置情報であり、上述した取付下地の情報なども含まれる。ようするに、芯組み情報は図６、図７で図示した正面図のように、個々の芯材の寸法と設置位置が判別できるような座標上の情報であればよい。なお、これら寸法、位置情報は後述する生産情報と同様、厚み方向の情報が含まれた三次元情報とされることが望ましい。
【００５５】
ついで、略等分化処理について図４を参照して説明する。略等分化処理では、まず図６（ｃ）に示した採光部などの開設加工部があるかどうかが判別され（図４のＳ３０１）、ある場合は後述する横桟位置決定の例外処理（図４のＳ３０４）が実行される。開設加工部なしの場合は、パラメータとして指定された対象領域が、芯組み規則データ１２ｃを加味したうえで等分化される（図４のＳ３０２）。さらに、たとえば、取付下地３４、３６の高さ方向の寸法を考慮した、基準横桟３１を除く横桟位置調整がなされる（図４のＳ３０３）。横桟３１、３２の位置に依存するように後付けする取付下地であれば、このような横桟位置調整はされなくてもよい。
【００５６】
本実施形態では、以上のように等分化のための規則として定めた芯組み規則データ１２ｃの横桟間隔許容値域データ、横桟本数許容テーブルを参照して、高さ位置が決定される。なお、これら２種類の規則は記憶部１２に芯組み規則データ１２ｃとして保存されたものであるが、本略等分化処理（プログラム）の中の判別において用いられる定数であってもよい。
【００５７】
開設加工部がありと判別された場合の横桟位置決定処理は、特殊なルールにより対象領域を略等分化するものである。本実施形態で取り扱われる採光部３８付きの戸パネル（図６（ｃ）参照）は、３つの採光部３８が固定の位置に形成されるものであり、横桟３２についてもそれら採光部３８に対して固定の位置に取り付けられるようになっているからである。たとえば本図例では、上から１、２番目の採光部３８の間に配されるように固定位置で横桟３２の位置が定められ、上から３番目の採光部３８の下側の固定位置に上から２番目の横桟３２の位置が定められる。この上から２番目の横桟３２は、引き手部材３７により位置が定まる基準横桟３１（２点鎖線で示したもの）に代えて基準横桟３１となる。上から２番目の横桟３２（基準横桟３１）よりも下側の領域については、その領域内の等分化により横桟３２間隔を定めればよい。
【００５８】
なお、このような開設加工部についての例外処理は、取付領域３０ａ、３０ｂごとの略等分化処理で処理がされなくてもよく、どちらか一方で処理されればよい。また、芯組み情報生成処理（図３参照）において、別処理とされるようにしてもよい。また、開設加工部がある場合でも、上記の例外処理に代えて、通常の略等分化処理（図４のＳ３０２、Ｓ３０３）が実行されるようにしてもよい。つまり、横桟位置調整（図４のＳ３０３）において、開設加工部の高さ範囲内に配された横桟３１を範囲外となるように調整されるようにしてもよい。このような場合では基準横桟３１の変動はない。なお、開設加工部のうち採光部３８についてのみ上記例外処理がなされ、他の開設加工部については等分化、横桟位置調整（図４のＳ３０２、Ｓ３０３）によって位置が決定されるようにしてもよい。
【００５９】
図６（ａ）および図７（ａ）に示した芯組みは、特定部材であるハンドルの位置により基準横桟３１の位置が定まる場合の例である。つまり、ケースラッチ３３の取付下地３４の一部（上部）が横桟３２（基準横桟３１）とされる。図６（ｂ）に示した芯組みは、ケースラッチ３３の位置により基準横桟３１の位置が定まり、さらに錠３５の取付下地３６が芯材として付加された例である。なお、図７（ａ）のものは、上端側の横桟３２の位置が固定されており、その横桟３２の下方において横桟３２の位置が略等分化処理によって決定されるようになっている。
【００６０】
図６（ｃ）に示した芯組みは、引き手部材３７および引き手部材３７を取り囲む取付下地３４を有し、かつ複数の採光部３８（開設加工部）を有した例である。なお、この引き手部材３７は破線で示した基準横桟３１を定めるための特定部材とされるが、図４において上述した略等分化処理において例外処理（図４のＳ３０４）がなされる場合には、基準横桟３１は上方に移動するように位置が変更となる。一方、略等分化処理において通常の処理（図４のＳ３０２、Ｓ３０３）がなされる場合は、基準横桟３１の位置は変動しない。
【００６１】
以上のように、採光部３８（開設加工部）の構成部材も特定部材と同様に、その取付位置が横桟３１、３２の設置位置に影響を与え得るものである。特に、本実施形態では図６（ｃ）の例で示したように、開設加工部と特定部材とが併存した場合には、開設加工部を優先させて基準横桟３１を含む横桟３２の位置を決定するようにしてパネル設計がなされる。
【００６２】
また、図７（ｂ）に示した芯組みは、明かり窓３９を有した例である。図７（ｂ）のものも同様に、取付下地の位置で横桟３２の設置高さ位置が決定されるが、左右個別に横桟３２の設置高さが決定されるようにしてもよい。
【００６３】
このように、本システムは、芯組み規則データ１２ｃにしたがって横桟間隔の均等化を行う略等分化処理を実行する構成となっているため、横桟３２の設置位置が律せられるような構成部材の設置位置を加味したうえで、横桟３２をより均一な間隔で配置できる。なお、芯組み規則データ１２ｃとしては、上述した２種のものに限られず、さらに種々のものを含めてもよいし、基本デザイン種別ごとに個別の規則が用いられるようにしてもよい。
【００６４】
一方、生産情報生成処理（図５参照）では、戸パネルの構成部材に関する生産情報が、取得済みの構成部材データ１２ｂ、オーダー情報および基本デザイン３Ｄマスタデータ１２ａをもとに生成される（図５のＳ４０１）。本実施形態では、生産情報として、取得済みの検査項目データ１２ｄが付属情報としてさらに含まれるようになっている（図５のＳ４０２）。
【００６５】
こうして生成された芯組み情報および生産情報は、上述したように出力部１４に出力すると同時に、生産部門端末２２にも送信されるようにすればよい。送信される情報は、どのような様式のデータであってもよいが、図８、図９のような指示書の様式とすることが生産部門での負担が少なくなるため、望ましい。もちろん、生産情報の基礎データを送信し、生産部門で図８、図９のような指示書の様式に編集するようにしてもよい。
【００６６】
図８は、図７（ａ）に示した戸パネルの芯組みに関する芯組み指示書５０の例であり、芯組み情報をもとにして編集されたものである。図８に示すように、この芯組み指示書５０には、芯組み外観図５１（正面図）、芯組みするための部材の仕様５２および戸パネルの特注情報５３が含まれている。芯組み外観図５１には、上述の芯組み設計により位置が決定された横桟間隔の寸法を含む種々の寸法が付記されている。芯組み情報生成処理で決定した横桟の設置位置にもとづく横桟間隔も付記されている。部材の仕様５２には、材料種類、幅、長さ、厚み、員数、数量が含まれている。なお、特注情報５３は戸パネルの全体仕様の一部を示すものであり、芯組みに影響を及ぼす取付下地の情報を含めるようにすればよい。また、シミュレーションで実行する場合は、たとえば、横桟の高さ位置だけがわかるような高さ位置情報を付記した芯組み外観をパソコン２１に出力するようにすればよい。
【００６７】
また図９は、図８の芯組み指示書５０に対応した、図７（ａ）で芯組みを示した戸パネルに関する生産指示書６０の例であり、芯組み情報および生産情報をもとにして編集されたものである。図９に示すように、生産指示書６０には、戸パネルの正面、左右側面、平面、底面の各図を含む外観図６１、検査項目一覧６２および戸パネルの特注情報６３および同梱部品情報６４が含まれている。外観図６１には、ケースラッチ３３や蝶番などの加工位置も示されており、さらに全体寸法および加工位置も付記されている。付記された数値情報には奥行（厚み寸法、厚み方向の位置情報）に関する情報も含まれている。検査項目一覧６２は、取得済みの検査項目データ１２ｄより編集したもので、検査者が合否チェックをできるように編集されている。特注情報６３は芯組み指示書５０のものと同様である。
【００６８】
このように、芯組み情報および生産情報は生産部門端末２２に送信するようになっているため、生産部門では、その情報にもとづいて簡易に生産、加工を行うことができる。特に、図８および図９のように指示書様式で送信すれば、生産部門では、現場ではその指示書がタイムリーに出力され得、それを見ながら効率的な作業を行うことができ、さらに生産指示書で検査も行うことができる。
【００６９】
以上のように、本システムは生産情報（生産指示書６０）も生成されるようになっているため、生産部門へ効率的にかつ適切に生産指示を出すことができる。また、本システムによれば、オーダー情報が入力され実行指示がされた後、コンピュータ処理により迅速に生産指示を出力できるので、一点ごとのオーダーの場合であっても、製造の段取りを迅速に行える。生産指示書には部材の種類や寸法が記載されているため、この生産指示書でサプライヤへ部品発注することもできる。
【００７０】
また、生産情報は三次元情報をもとに生成されているため、厚みに関して情報を追加編集したり、厚みに関する情報を他の指示書として作成したりする必要がなく、効率化を図ることができる。三次元情報が用いてあるため、たとえば戸パネルの側面部の加工情報や、厚さ方向の穴加工などの加工情報を生産指示として出力することができる。このように、三次元情報は再利用性がよく、製品情報として有効に利用することができる。
【００７１】
以上に示したシステムは、ネットワーク２０を介して、サーバ１０、パソコン２１間で動作するものであるが、１台のパソコン２１で入力、処理、出力の全処理が完結するものであってもよい。
【符号の説明】
【００７２】
１０          サーバ
１１          パネルデータ生成部
１２          記憶部
１２ａ        基本デザイン３Ｄマスタデータ
１２ｂ        構成部材データ
１２ｃ        芯組み規則データ
１２ｄ        検査項目データ
１３          入力部
１４          出力部
２１          パソコン
２２          生産部門端末
３０、３０ａ、３０ｂ  取付領域
３１          基準横桟
３２          横桟
３３          ケースラッチ（特定部材）
３４          取付下地
３５          錠
３６          取付下地
３７          引き手部材（特定部材）
３８          採光部（開設加工部）
３９          明かり窓
４１          縦枠
４２          横枠
４３          縦桟
【図１】
2018055687.tif 000003
【図２】
2018055687.tif 000004
【図３】
2018055687.tif 000005
【図４】
2018055687.tif 000006
【図５】
2018055687.tif 000007
【図６】
2018055687.tif 000008
【図７】
2018055687.tif 000009
【図８】
2018055687.tif 000010
【図９】
2018055687.tif 000011